(57)【特許請求の範囲】
【請求項１】
循環ファンと除湿ローターが設けられて、除湿処理時に室内の空気を吸入し、再び室内へ戻す循環風路と、
再生ファンと再生ヒーターが内部に設けられて、前記除湿ローターを再生する再生風路と、を備えた屋内用除湿機において、
前記循環ファンが送出する空気を、前記除湿処理時と逆方向に前記除湿ローターを通過させ屋外へ排出し得る手段を設けた
ことを特徴とする屋内用除湿機。
【発明の詳細な説明】
【技術分野】
【０００１】
本発明は、屋内用の除湿機に関するものである。
【背景技術】
【０００２】
従来、浴室内の湿った空気を吸引し、除湿ローターを通過させて乾燥した空気にし、浴室へ再び戻すことにより、浴室内の湿度を低下させる浴室用除湿機が存在するが、浴室等から吸引する空気中等に粉塵や異物が含まれている場合に、除湿ローター通過時にこれらの粉塵や異物が除湿ローターに詰まり、圧力損失や除湿性能の低下が生じるという問題点がある。
このような問題点を解決するために、（１）除湿ローターの下側等に邪魔板状のカバーを設ける方法、（２）除湿ローターに通じる風路にフィルターを設ける方法がある。
さらに、特許文献１に開示されているように、除湿ローター再生用の風路に設けられている小型の再生ファンを用いて、除湿ローターを通過する風の方向を除湿運転時と逆向きにして、異物や粉塵を除湿ローターから取り除く方法がある。
【先行技術文献】
【特許文献】
【０００３】
【特許文献１】特許第３８０４８６６号公報
【発明の概要】
【発明が解決しようとする課題】
【０００４】
なお、前述した、邪魔板状のカバーを設ける方法では、圧力損失が大きくなり、また、フィルターを設ける方法では、フィルター交換やフィルターの洗浄が必要となるという問題点があり、さらに、上記特許文献１に開示されている方法では、小型の再生ファンからの風を逆向きにするものであるため、小型の再生ファンからの風の風力では、除湿ローターに詰まった粉塵や異物を強力に除去できないという問題点があった。
【課題を解決するための手段】
【０００５】
本発明は、圧力損失が小さく、フィルターのメンテナンスも不要であり、しかも、十分な除湿ローターの逆洗浄効果が得られて、効率的に逆洗浄ができる屋内用除湿機の提供を目的とし、この目的の少なくとも一部を達成するために以下の手段を採った。
本発明は、循環ファンと除湿ローターが設けられて除湿処理時に室内の空気を吸入し再び室内へ戻す循環風路と、再生ファンと再生ヒーターが内部に設けられて前記除湿ローターを再生する再生風路とを備えた屋内用除湿機において、前記循環ファンが送出する空気を、前記除湿処理時と逆方向に前記除湿ローターを通過させ屋外へ排出し得る手段を設けたことを要旨とする。
【発明の効果】
【０００６】
本発明の屋内用除湿機では、循環ファンからの大風量の風を、除湿時とは逆方向に除湿ローターに流し、屋外へ排出するので、除湿ローターに付着した粉塵，異物を効果的に除去できるものとなり、圧力損失が比較的小さく、フィルター等のメンテナンスが不要であり、効果的に除湿ローターを逆洗浄できるものとなる。
【図面の簡単な説明】
【０００７】
【図１】浴室の斜視構成図である。
【図２】除湿機の概略構成図である。
【図３】除湿機の変更例を示す概略構成図である。
【図４】除湿機の更なる変更例を示す概略構成図である。
【発明を実施するための形態】
【０００８】
次に、本発明を実施するための形態を実施例を用いて説明する。
図１は、浴室の斜視構成図であり、浴槽２を備えた浴室１の天井１ａには、下面に吸込口３ａと吹出口３ｂを有する除湿機３が設置されており、この除湿機３から屋外に通じる排出風路４が設けられている。
【０００９】
図２は、除湿機３の概略構成図であり、除湿機３内には、吸込口３ａから吹出口３ｂに至る循環風路６が設けられており、この循環風路６とは別に、除湿機３内には再生風路７が設けられている。
循環風路６には、大型のシロッコファンで構成された循環ファン５が設けられ、また、下流側には除湿ローター９が設けられている。
この除湿ローターは、シリカゲルやゼオライト等の吸湿材料からなるハニカム状のローターである。この除湿ローター９は低速で回転できるように構成され、その除湿ローター９の一部が前記再生風路７内に配置されている。
再生風路７内には、除湿ローター９の上流側に再生ヒーター１０が設けられ、さらにその上流側に小型のシロッコファンからなる再生ファン１１が設けられている。
なお、再生風路７は、浴室１内または脱衣室または屋外から空気を吸い込むように構成され、再生風路７の下流側には、屋外に通じる排出風路７ａが接続されている。
【００１０】
また、本例では、循環風路６内に切替ダンパー８が設けられ、この切替ダンパー８には迂回風路１４が接続されて、迂回風路１４は、除湿ローター９の上流側から下流側へ向かって迂回し、除湿ローター９の下流側に設けられた切替ダンパー１３に接続されている。また、循環風路６内には、切替ダンパー８と除湿ローター９間に切替ダンパー１２が設けられ、この切替ダンパー１２から分岐して、屋外に通じる排出風路４が設けられている。
【００１１】
このような構成の除湿機３において、浴室１を除湿する除湿処理運転時には、循環ファン５が回転されて、吸込口３ａから浴室１内の湿った空気を循環風路６に吸い込み、湿った空気を、低速で回転する除湿ローター９に向かって流し、除湿ローター９を通過させることにより、除湿ローター９で水分が吸着されて、乾いた空気となって、吹出口３ｂから再び浴室１内に乾いた空気が吹き出される。
これと同時に、再生風路７では、再生ファン１１が回転され、再生ヒーター１０が加熱されて、浴室内または脱衣室または屋外からの空気が再生ファン１１の回転により再生風路７内に吸い込まれて再生ヒーター１０で加熱され、この加熱された空気が除湿ローター９を通ることにより、除湿ローター９内の水分が水蒸気となって、排出風路７ａを通り屋外に排出され、除湿ローター９が再生されるものである。
【００１２】
除湿ローター９には、循環風路６あるいは再生風路７内を通る空気に含まれる粉塵や異物が付着して、除湿ローター９での圧力損失が生じたり、除湿ローター９の除湿性能の低下が生じるので、定期的に除湿ローター９に付着した粉塵や異物を除去する必要がある。
そのような場合は、切替ダンパー８を迂回風路１４側に開け、循環ファン５からの風を、切替ダンパー８から迂回風路１４内に迂回させて除湿ローター９の下流側に導き、除湿ローター９の下流側に設けられている切替ダンパー１３を切り替えて、循環風路６内を逆向きに除湿ローター９に向かって風が流れるように制御すると、循環ファン５から送り出される大風量の風が、迂回風路１４を通り除湿処理運転時とは逆向きに循環風路６内を除湿ローター９に向かって流れるため、この逆方向に流れる風により除湿ローター９に付着している粉塵，異物が大風量で吹き飛ばされることとなる。
この粉塵，異物を吹き飛ばした風は、切替ダンパー１２を排出風路４側へ切り替えておけば、排出風路４を通して屋外へ排出することができ、効果的に大風量の風で除湿ローター９の粉塵，異物除去ができるものとなる。
【００１３】
なお、この場合に、圧力損失は少ないものであり、フィルター等は設けられていないために、フィルター等のメンテナンスも不要であり、循環ファン５からの大風量を確保できて十分な逆洗浄効果が得られ、効果的に除湿ローター９を逆洗浄することができる。
【００１４】
次に、図３は、除湿機３の変更例を示すものであり、図３の構造では、循環風路６内に設けた切替ダンパー８から分岐して分岐風路１５が設けられ、この分岐風路１５の下流側に、ほぼ密閉状の逆洗風路１６を接続させ、さらに逆洗風路１６の下流に、屋外に通じる排出風路４を接続したものである。なお、逆洗風路１６内には除湿ローター９の一部が配置される。
【００１５】
なお、本例では、切替ダンパー１２，１３は存在せず、除湿処理運転時には、循環ファン５から送り出される風は、循環風路６内を除湿ローター９を通過して通り、除湿されて浴室１内に戻るものであり、この循環風路６とは別に逆洗風路１６が設けられて、逆洗風路１６の上流側には分岐風路１５が、また下流側には排出風路４が接続されたものである。
なお、再生風路７の構成は、図２のものと同様である。
【００１６】
定期的に除湿ローター９を逆洗浄する際には、切替ダンパー８が分岐風路１５側に切り替えられることにより、循環ファン５からの大風量の風は、分岐風路１５を通り逆洗風路１６内に導かれることとなり、逆洗風路１６内では、循環風路６内を通る風の方向とは逆に下流側から上流側に向かって除湿ローター９内を風が通過するため、これにより、除湿ローター９に付着した粉塵，異物が除去され、排出風路４を通り粉塵等が屋外に排出されるものである。
このような構成においても、循環ファン５からの大風量の風を逆方向に除湿ローター９に流して、風量を確保しながら効果的に除湿ローター９を逆洗浄することができるものとなる。
【００１７】
次に、図４は、除湿機の更なる変更例を示すものである。
図４では、再生風路７は図２のものと同様な構造であるが、循環風路６内には、除湿ローター９の下流側に、プロペラファンで構成された循環ファン５０が逆転可能に配設されたものとなっている。なお、循環風路６の除湿ローター９の上流側には切替ダンパー８を介して分岐状に、屋外に通じる排出風路４が接続されている。
このような構造の除湿機３において、除湿処理運転時には、循環ファン５０が正回転されて、吸込口３ａから浴室１内の湿った空気が循環風路６内に吸い込まれ、除湿ローター９を通り除湿されて、再び吹出口３ｂから浴室１内に吹き出されて、浴室内が除湿されるものである。
【００１８】
定期的に除湿ローター９に付着した粉塵や異物を除去する際には、循環ファン５０を逆転運転させることにより、逆に浴室１内の空気を吹出口３ｂから逆向きに循環風路６内に吸い込み、除湿ローター９を通過させ、大風量の風を除湿ローター９に当てて、付着している粉塵，異物を除去することができ、切替ダンパー８を排出風路４側に開けておけば、粉塵や異物を除去した後の空気は排出風路４を通り屋外に排出されるものである。
【００１９】
このように図４の構造では、循環ファン５０を逆回転させて、風量を確保しながら効果的に除湿ローター９を逆洗浄して粉塵や異物を除去できるもので、圧力損失が比較的小さく、フィルター等が設けられていないために、そのようなフィルターのメンテナンスも不要となり、除湿機をコンパクトなものとすることができるものである。
【００２０】
なお、各実施例における再生風路７は、熱交換器を通して水を回収するタイプであっても良い。
また、本発明の除湿装置３は、実施例に記載した浴室１の他、衣服収納室、洗面室、更衣室あるいは地下室などの高湿雰囲気の密閉室内にも使用することができる。
【符号の説明】
【００２１】
１  浴室
１ａ  天井
３  除湿機
３ａ  吸込口
３ｂ  吹出口
４  排出風路
５  循環ファン
６  循環風路
７  再生風路
７ａ  排出風路
８，１２，１３  切替ダンパー
９  除湿ローター
１０  再生ヒーター
１１  再生ファン
１４  迂回風路
１５  分岐風路
１６  逆洗風路
５０  循環ファン
【図１】
0005595222.tif 000002
【図２】
0005595222.tif 000003
【図３】
0005595222.tif 000004
【図４】
0005595222.tif 000005